(57)【要約】      （修正有）【課題】操作部の表示を見ながら操作部を操作することにより容易に入力することができる操作性の優れた携帯端末を提供する。【解決手段】操作部２０の表示面２２に各々独立して自己発光により任意パターンを表示できるので、各表示面２２に所望の表示を行うことができる。従来「お」を入力するために「あ」の操作ボタン２０をさらに４回押す必要があったが、本発明の携帯端末の操作部２０では、「あ」の次に「お」を押せばよい。これにより、操作部２０の表示を見ながら容易に入力することができ操作性が改善される。また、縦横に整列して配置されている操作ボタン２０を全体で１個の表示面とすることにより、携帯端末に設けられている本来の表示面のほかの表示面として用いることができる。【選択図】図３
2006174214.tif 000002
【特許請求の範囲】
【請求項１】
入力用の接点を有し操作者が視認可能な表示面を有する複数個の操作部を備えた携帯端末であって、
前記操作部が、各々独立した自己発光型で任意パターン表示可能な表示面を備えた携帯端末。
【発明の詳細な説明】
【技術分野】
【０００１】
本発明は、操作部からの入力により通話やメールを行うことができる携帯端末に関するものである。
【背景技術】
【０００２】
従来の携帯端末等に用いられる操作パネルとしては、図９に示すようなものが開示されている（例えば特許文献１参照）。
図９に示すように、この操作パネル１００はデジタルカメラ１０１の背面に設けられており、操作パネル１００の内側に、有機ＥＬディスプレイモジュールシートディスプレイ１０２が組み込まれている。有機ＥＬディスプレイモジュールシートディスプレイ１０２に、第１情報表示部１０３と、第２情報表示部１０４と、第３情報表示部１０５とを設け、省スペース、ローコスト、省電力なマルチディスプレイを構成している。有機ＥＬディスプレイモジュールシートディスプレイ１０２の操作ボタン１０６〜１１０の近傍に、操作ボタンの名称を表示する名称表示部１１１〜１１５を設け、仕向け地ごとに異なる言語での表示を行えるようにしている。操作ボタン１０６〜１１０の操作によってＯＮ／ＯＦＦされるスイッチの接点パターンを有機ＥＬディスプレイモジュールシートディスプレイ１０２上に形成し、スイッチ用の配線基板を省略して、操作パネル１００の薄型化およびローコスト化を図っている。
【特許文献１】特開２００４−１３３１３１号公報（図１）
【発明の開示】
【発明が解決しようとする課題】
【０００３】
ところで、図１０に示すように、携帯端末としての携帯電話の操作部１２０では、例えば数字や文字を入力するための操作ボタン１２０が３×４で配列されており、数字を入力するモードでは操作ボタン１２０の表示面に示されている数字を入力するようになっている。また、メール等文字入力のモードでは、一般に操作ボタン１２０の表示面には、「あ」、「か」、「さ」…、等行頭の文字が示されており、例えば「あ」の操作ボタン１２０を１回押せば図示省略の表示画面に「い」、２回押せば「う」、３回押せば「え」の文字が表示され、確定すると入力される。
従って、例えば「お」を入力したい場合には、「あ」の操作ボタン１２０を４回押して表示画面に「あ」を表示して確定する必要があり、操作ボタン１２０を押す回数が多いため、面倒であるという問題があった。また、表示画面を見ながら操作ボタン１２０を押す必要があるため、視線を表示画面と操作ボタン１２０とに移動させる必要があり、操作性が悪いという問題があった。
【０００４】
本発明は、従来の問題を解決するためになされたもので、操作部の表示を見ながら操作部を操作することにより容易に入力することができる操作性の優れた携帯端末を提供することを目的とする。
【課題を解決するための手段】
【０００５】
本発明の携帯端末は、入力用の接点を有し操作者が視認可能な表示面を有する複数個の操作部を備えた携帯端末であって、前記操作部が、各々独立した自己発光型で任意パターン表示可能な表示面を備えた構成を有している。
【０００６】
この構成により、各操作部の表示面に所望の表示を行うことができるので、例えば、最初は操作ボタンの表示面には、「あ」、「か」、「さ」等行頭の文字が表示されているが、例えば「あ」の操作ボタンを押すと、他のボタンの表示面に、「い」、「う」、「え」「お」、「ア」、「イ」、「ウ」「エ」、「オ」等が表示されるようにすることができる。従って、従来「お」を入力するために「あ」の操作ボタンを５回押す必要があったが、本発明の携帯端末の操作部では、「あ」の次に「お」を押せばよい。これにより、操作部の表示を見ながら容易に入力することができ操作性が改善される。
また、縦横に整列して配置されている操作ボタンを全体で１個の表示面とすることにより、携帯端末に設けられている本来の表示面の補助的な表示面として用いることができる。
なお、操作部としては、入力用のキーを例示することができる。
【発明の効果】
【０００７】
本発明は、各操作部に各々独立して自己発光により任意パターンを表示できる表示面を設けることにより、操作部の表示を見ながら容易に入力することができ操作性が改善されるという効果を有する携帯端末を提供することができるものである。
【発明を実施するための最良の形態】
【０００８】
以下、本発明の実施形態の携帯端末について、図面を用いて説明する。
図１は、本発明の実施形態の携帯端末である携帯電話の入力部を示す斜視図。図２は、入力部の構成を示す分解斜視図。図３は図１中III−III位置の断面図である。
図１〜図３において、携帯端末１０は、入力用の接点２１を有し操作者が視認可能な表示面２２を有する複数個の操作部２０を備えており、前記操作部２０が、各々独立した自己発光型で任意パターン表示可能な表示面２２を備えている。
【０００９】
ここで、携帯端末としては、携帯電話（以後、携帯電話１０で示す。）を例示することができる。また、操作部２０としては、図１に示すように、複数個の入力キー（以後、キー２０で示す。）を例示することができる。また、自己発光型で任意パターンを表示可能な表示面２２としては、図３に示すように、透明あるいは半透明なキー２０の内部に有機ＥＬディスプレイモジュール２３を設けたものを例示することができる。すなわち、任意パターン表示が可能な有機ＥＬディスプレイモジュール２３によって表示された文字や図形等が、キー２０を透過して外側から視認できるようになっている。
なお、有機ＥＬディスプレイモジュール２３はフレキシブルなプリント基板であるキーＦＰＣ２４の上に設けられており、キーＦＰＣ２４はキーベース２５の上に重ねられている。
【００１０】
図２および図３に示すように、キー２０は、各々独立して上下移動可能となっており、キー２０の下側には接点２１ａ、２１ｂが設けられている。従って、キー２０を下方へ押すと、キーＦＰＣ２４およびキーベース２５を撓ませてキーベース２５の下面に設けられている接点２１ａを押し下げ、接点２１ｂに接触させることにより入力するようになっている。なお、キー２０は、キーベース２５の弾性力により常時上方へ付勢されており、接点２１ａと接点２１ｂは離反している。
【００１１】
以上のように構成された携帯電話機１０について、図４〜図６を用いてその動作を説明する。
図４に示すように、まず、スタートしたら（ステップＳＳ）、入力モードの選択をする（ステップＳ１）。すなわち、数字を入力する場合には、数字入力モードを選択（ステップＳ２）する。この場合、図５に示すように、キー２０の表示面２２には、少なくとも有機ＥＬディスプレイモジュール２３で表示される０〜９の数字および所定の記号等が透き通って表示されている（ステップＳ３）ので、所望の数字が表示面２２に表示されているキー２０を押圧して（ステップＳ４）接点２１ａ、２１ｂを導通させ、数字を入力する（ステップＳ５）。
以後、ステップＳ１に戻って、前述した工程を繰り返す。なお、文字入力モードに変えたい場合には、ステップＳ１で文字入力モードを選択して、後述する手順で文字入力を行う。
【００１２】
一方、文字を入力したい場合には、ステップＳ１において文字入力モードを選択（ステップＳ６）する。これにより、キー２０の表示面２２には、図６（Ａ）に示すように、有機ＥＬディスプレイモジュール２３によって、あ行を示す「あ」から、わ行を示す「わ」等の行頭文字と所定の数字や記号等が表示される（ステップＳ７）ので、入力したい文字の行頭文字が示されているキー２０を押して行を選択する（ステップＳ８）。行を選択すると、図６（Ｂ）に示すように、各キー２０における有機ＥＬディスプレイモジュール２３の表示が当該行の文字に変わる（ステップＳ９）ので、所望の文字が表示されているキー２０を押圧（ステップＳ１０）して文字の入力を行う（ステップＳ１１）。なお、図６（Ｂ）では、あ行の各文字を表示した場合を例示してある。
以後、ステップＳ１に戻って、前述した工程を繰り返す。なお、文字入力モードには数字も含まれるのが一般的であるが、数字入力モードに変えたい場合には、ステップＳ１で数字入力モードを選択して、前述した手順で文字入力を行う。
【００１３】
また、ステップＳ１において、確定・終了モードを選択すると、入力を確定して終了する。なお、必要な場合には、文字変換後確定する。
【００１４】
次に、図７に基づいて、携帯電話１０のキー２０の別の使用方法について説明する。
各キー２０に設けられている有機ＥＬディスプレイモジュール２３は任意のパターンが表示可能なので、全て（例えば３×４）のキー２０を一括して制御することにより、全体で一つの表示手段とすることが可能である。すなわち、各キー２０は、そのキー２０の位置に対応した全体の画像の１２分の１を表示し、１２個のキー２０で全体の画像を表示する。
これにより、携帯電話１０の主画面と同様に、種々の画像を表示する副画面として使用することができる。
【００１５】
以上のように本発明の実施の形態の携帯端末１０によれば、各キー２０に各々独立して自己発光により任意パターンを表示できる表示面を設けることにより、キー２０の表示を見ながら容易に入力することができ操作性を改善することができる。また、行頭の文字を表示して、入力する文字の行を指定すると、表示が当該行の文字に変わるので、所望の文字を、少ない回数の押圧により、容易に入力することができる。また、このとき、行全体の文字が表示されているので、入力間違いをすることなく、確実に所望の文字を入力することができる。
【００１６】
なお、以上の説明では、キー２０を上下移動可能に設けるとともに、キー２０の下に接点２１ａ、２１ｂを設けて、キー２０を下方へ押圧することにより接点２１ａと接点２１ｂを接触させて入力する場合について説明したが、その他、図８に示すようなキー２０についても同様に実施可能である。
すなわち、図８に示すように、キー２０を固定して設け、キー２０の表面２０ａ上にタッチパネル２６を設けるようにすることができる。なお、有機ＥＬディスプレイモジュール２３は、前述したキー２０の場合と同様に設けることができる。この場合には、隣接キー２０間の非表示部分２７（図７参照）を小さくして、より完全な画像を表示することができる。
また、前述した操作部では、キー２０を３×４で設けた場合について説明したが、配置はこれに限るものではない。
【産業上の利用可能性】
【００１７】
以上のように、本発明に係る携帯端末は、各操作部に各々独立して自己発光により任意パターンを表示できる表示面を設けることにより、作部の表示を見ながら容易に入力することができ操作性が改善されるという効果を有し、操作部からの入力により通話やメールを行うことができる携帯端末等として有用である。
【図面の簡単な説明】
【００１８】
【図１】本発明の実施の形態における携帯端末の斜視図
【図２】入力部の構成を示す分解斜視図
【図３】図１中III−III位置の断面図
【図４】本発明の実施の形態における携帯端末の動作を示すフローチャート
【図５】数字を表示しているキーを示す説明図
【図６】（Ａ）文字入力モードにおいて行頭の文字を表示しているキーを示す説明図  （Ｂ）文字入力モードにおいて所望の行の各文字を表示しているキーを示す説明図
【図７】キー部分全体を副画面として使用している状態を示す説明図
【図８】接点としてタッチパネルを用いた場合を示す図３相当の断面図
【図９】従来の携帯端末の一例を示す斜視図
【図１０】従来の携帯端末のキーの表示を示す説明図
【符号の説明】
【００１９】
１０  携帯端末
２０  キー（操作部）
２１  接点
２２  表示面
【図１】
2006174214.tif 000003
【図２】
2006174214.tif 000004
【図３】
2006174214.tif 000005
【図４】
2006174214.tif 000006
【図５】
2006174214.tif 000007
【図６】
2006174214.tif 000008
【図７】
2006174214.tif 000009
【図８】
2006174214.tif 000010
【図９】
2006174214.tif 000011
【図１０】
2006174214.tif 000012